(57)【特許請求の範囲】
【請求項１】
医用装置からネットワークを介して装置データを受信して、前記医用装置が起動状態にあるか否かを示す情報を少なくとも含む装置ステータス情報を得る装置情報取得手段と、
前記医用装置に配信するプロトコルの種別に関する情報、前記プロトコルを配信する指定日時に関する情報、及び前記プロトコルを配信するときの前記医用装置のステータスを指定する情報を少なくとも含む配信条件情報と、前記装置ステータス情報とを参照し、前記医用装置が起動状態であり、かつ、現在時刻が前記指定日時を経過しているとき、前記プロトコルを配信先となる前記医用装置にネットワークを介して配信するプロトコル配信手段と、
を有することを特徴とする医用装置プロトコル配信システム。
【請求項２】
前記医用装置またはユーザクライアントからネットワークを介して前記プロトコルの配信条件情報を受信する配信予約受付手段を設けたことを特徴とする請求項１記載の医用装置プロトコル配信システム。
【請求項３】
前記医用装置への配信が推奨される推奨プロトコルのリストを作成し、作成した前記推奨プロトコルのリストを前記ユーザクライアントおよび前記医用装置の少なくとも一方にネットワークを介して送信するプロトコル配信促進手段を設けたことを特徴とする請求項２記載の医用装置プロトコル配信システム。
【請求項４】
前記配信条件情報を確認するための配信確認画面情報を生成してネットワークを介して前記ユーザクライアントおよび前記医用装置の少なくとも一方に送信し、前記ユーザクライアントおよび前記医用装置の少なくとも一方から前記配信条件情報を変更すべき旨の配信条件変更要求を受信した場合には、受信した前記配信条件変更要求を前記プロトコル配信手段に与えて前記配信条件情報を更新させるプロトコル配信確認手段を設けたことを特徴とする請求項２記載の医用装置プロトコル配信システム。
【請求項５】
前記配信予約受付手段は、医用装置またはユーザクライアントからネットワークを介してログイン情報を受信し、前記ログイン情報が適正であれば契約情報に基づいて前記医用装置に配信可能なプロトコルのリストを生成して前記医用装置および前記ユーザクライアントの少なくとも一方に送信するようにしたことを特徴とする請求項２記載の医用装置プロトコル配信システム。
【請求項６】
前記配信条件情報および前記プロトコルをそれぞれインターネットを介して受信し、前記医用装置が起動状態であり、かつ、現在時刻が前記指定日時を経過しているとき、前記プロトコルを配信先となる医用装置にＬＡＮを介して配信する病院側プロトコル配信手段を設けたことを特徴とする請求項１記載の医用装置プロトコル配信システム。
【請求項７】
サーバが、医用装置からネットワークを介して装置データを受信して、前記医用装置が起動状態にあるか否かを示す情報を少なくとも含む装置ステータス情報を得るステップと、
サーバが、前記医用装置に配信するプロトコルの種別に関する情報、前記プロトコルを配信する指定日時に関する情報、及び前記プロトコルを配信するときの前記医用装置のステータスを指定する情報を少なくとも含む配信条件情報と、前記装置ステータス情報とを参照し、前記医用装置が起動状態であり、かつ、現在時刻が前記指定日時を経過しているとき、前記プロトコルを配信先となる前記医用装置にネットワークを介して配信するステップと、
を有することを特徴とする医用装置プロトコル配信方法。
【請求項８】
コンピュータを、
医用装置からネットワークを介して装置データを受信して、前記医用装置が起動状態にあるか否かを示す情報を少なくとも含む装置ステータス情報を得る装置情報取得手段、
および前記医用装置に配信するプロトコルの種別に関する情報、前記プロトコルを配信する指定日時に関する情報、及び前記プロトコルを配信するときの前記医用装置のステータスを指定する情報を少なくとも含む配信条件情報と、前記装置ステータス情報とを参照し、前記医用装置が起動状態であり、かつ、現在時刻が前記指定日時を経過しているとき、前記プロトコルを配信先となる前記医用装置にネットワークを介して配信するプロトコル配信手段、
として機能させることを特徴とする医用装置プロトコル配信プログラム。
【発明の詳細な説明】
【技術分野】
【０００１】
本発明は、医用装置のプロトコルをインターネットを介して配信する医用装置プロトコル配信システム、医用装置プロトコル配信方法および医用装置プロトコル配信プログラムに関する。
【背景技術】
【０００２】
従来、超音波診断装置やＭＲＩ（Magnetic Resonance Imaging）装置等の医用装置は、制御プロトコルに従って制御される。一般に、各医用装置は、病院内に設置されたサーバと院内ＬＡＮ（Local Area Network）で接続される。そして、医用装置の制御プロトコルが更新された場合には、病院内のサーバから必要に応じて各医用装置に制御プロトコルが院内ＬＡＮを介してダウンロードされる。
【０００３】
また、プロトコル管理サーバからプロトコルをネットワークを介して医用装置に送信する技術や（例えば特許文献１参照）、複数のＭＲＩ装置を通信回線によりＭＲＩシステムセンタに接続し、ＭＲＩシステムセンタが各ＭＲＩ装置からログファイルデータ等の使用状況データを受信し、使用状況データを分析することにより適切なプロトコルをＭＲＩ装置に送信する技術が提案される（例えば特許文献２参照）。
【特許文献１】特開２００３−５２６６０号公報（第９頁−第１２頁、図１参照）
【特許文献２】国際公開第０１／０６９４７４号パンフレット（第１７頁−第１９頁、図１参照）
【発明の開示】
【発明が解決しようとする課題】
【０００４】
従来の医用装置における制御プロトコルの更新方法では、制御プロトコルを医用装置にダウンロードする際、対象となる医用装置を予め起動しておく必要がある。しかし、制御プロトコルのダウンロード時に対象となる医用装置が必ずしも起動状態であるとは限らない。
【０００５】
このため、例えば、複数の超音波診断装置が設定された病院内において、全ての超音波診断装置に制御プロトコルをダウンロードするような場合には、予め全ての超音波診断装置を起動なければならず、超音波診断装置の操作の労力の増加や操作の煩雑化に繋がるという問題がある。さらに、このような背景から医用装置へのプロトコルのダウンロード計画も煩雑となっている。
【０００６】
本発明はかかる従来の事情に対処するためになされたものであり、予め医用装置を起動させることなく複数の医用装置にプロトコルを配信することが可能な医用装置プロトコル配信システム、医用装置プロトコル配信方法および医用装置プロトコル配信プログラムを提供することを目的とする。
【０００７】
また、本発明の他の目的は、より容易に医用装置へのプロトコルのダウンロード計画を実施することが可能な医用装置プロトコル配信システム、医用装置プロトコル配信方法および医用装置プロトコル配信プログラムを提供することである。
【課題を解決するための手段】
【０００８】
本発明に係る医用装置プロトコル配信システムは、医用装置からネットワークを介して装置データを受信して、前記医用装置が起動状態にあるか否かを示す情報を少なくとも含む装置ステータス情報を得る装置情報取得手段と、前記医用装置に配信するプロトコルの種別に関する情報、前記プロトコルを配信する指定日時に関する情報、及び前記プロトコルを配信するときの前記医用装置のステータスを指定する情報を少なくとも含む配信条件情報と、前記装置ステータス情報とを参照し、前記医用装置が起動状態であり、かつ、現在時刻が前記指定日時を経過しているとき、前記プロトコルを配信先となる前記医用装置にネットワークを介して配信するプロトコル配信手段と、を有することを特徴とするものである。
【発明の効果】
【００１４】
本発明に係る医用装置プロトコル配信システム、医用装置プロトコル配信方法および医用装置プロトコル配信プログラムにおいては、予め医用装置を起動させることなく複数の医用装置にプロトコルを配信することできる。
【００１５】
また、本発明に係る医用装置プロトコル配信システム、医用装置プロトコル配信方法および医用装置プロトコル配信プログラムにおいては、より容易に医用装置へのプロトコルのダウンロード計画を実施することができる。
【発明を実施するための最良の形態】
【００１６】
本発明に係る医用装置プロトコル配信システム、医用装置プロトコル配信方法および医用装置プロトコル配信プログラムの実施の形態について添付図面を参照して説明する。
【００１７】
図１は本発明に係る医用装置プロトコル配信システムの第１の実施形態を示す構成図である。
【００１８】
医用装置プロトコル配信システム１は、プロトコルサーバ２、プロトコルデータベース３、リスト作成用情報データベース４、配信条件情報データベース５、装置ステータスデータベース６、ユーザクライアント７を備え、プロトコルの一例である医用装置８の制御プロトコルを管理者側であるセンタ側９からネットワークであるインターネット１０を介してユーザである病院側１１に配信するシステムである。
【００１９】
医用装置プロトコル配信システム１のプロトコルサーバ２、プロトコルデータベース３およびリスト作成用情報データベース４は、センタ側９に設けられ、互いにセンタ側９のＬＡＮ１２で接続される。ただし、プロトコルサーバ２に直接プロトコルデータベース３およびリスト作成用情報データベース４を接続してもよい。
【００２０】
プロトコルデータベース３には、各医用装置８の各種制御プロトコルが保存される。
【００２１】
リスト作成用情報データベース４には、ユーザ側に配信可能な制御プロトコルのリストを作成するためのリスト作成用情報が保存される。このリスト作成用情報には、少なくともユーザの制御プロトコル取得に対する権限情報等の契約情報が含まれ、必要に応じてユーザの識別情報、ユーザ側の医用装置８に使用される制御プロトコルの名称、機能、使用状況、過去の使用履歴、医用装置８の型式、バージョン、使用状況、検査種類等の装置構成情報が互いに関連付けられて配信可能な制御プロトコルのリスト作成用情報として利用される。
【００２２】
一方、医用装置プロトコル配信システム１のユーザクライアント７は、病院側１１に設けられる。さらに、病院側１１には単一あるいは複数の医用装置８が設けられる。そして、各医用装置８およびユーザクライアント７互いに病院側１１のＬＡＮ１２で接続される。
【００２３】
また、センタ側９のＬＡＮ１２と病院側１１のＬＡＮ１２とは、互いにインターネット１０を介して接続される。インターネット１０には、任意数のＷｅｂクライアントが任意の場所に接続され、必要に応じてユーザクライアント７として利用される。
【００２４】
図２は、図１に示す医用装置プロトコル配信システム１の機能ブロック図である。
【００２５】
プロトコルサーバ２は、コンピュータに医用装置プロトコル配信プログラムを読み込ませることにより、コンピュータを配信予約受付手段２０、プロトコル配信手段２１、装置情報取得手段２２として機能させたものである。
【００２６】
配信予約受付手段２０は、病院側１１に設けられたユーザクライアント７や医用装置８あるいはインターネット１０に接続されたユーザクライアント７からのログイン情報を受信してユーザの認証を行うユーザ認証機能、ユーザ認証により識別されたユーザ側の医用装置８に配信可能な制御プロトコルのリストを生成してユーザクライアント７や医用装置８に送信するプロトコルリスト生成送信機能、ユーザ認証により識別されたユーザクライアント７または医用装置８から制御プロトコルの配信条件情報を受信して配信条件情報データベース５に書き込む配信予約受付機能を有する。
【００２７】
配信予約受付手段２０によるユーザの認証の際には、識別情報を記録したＩＣ（Integrated Circuit）カードや識別情報としてのユーザＩＤおよびパスワードを利用することができる。このため、ログイン情報には、ユーザＩＤおよびパスワードあるいはＩＣカードに記録された情報等の識別情報を利用することができる。さらに、配信予約受付手段２０には、適宜制御プロトコルの配信予約を実施するための予約画面情報を生成してユーザクライアント７や医用装置８に送信する機能が備えられる。
【００２８】
さらに、医用装置８の起動時等のように医用装置８のステータスが変化した際に、自動的にログイン情報がプロトコルサーバ２に送信されるようにすることもできる。
【００２９】
また、配信予約受付手段２０は、ユーザ認証およびプロトコルリスト生成の際、リスト作成用情報データベース４に保存された配信可能な制御プロトコルのリスト作成用情報を参照するようにされる。
【００３０】
さらに、配信予約受付手段２０が一時に受信する制御プロトコルの配信条件情報は、単一の医用装置８に対する制御プロトコルのみならず、複数の医用装置８に対する制御プロトコルの配信条件情報であってもよい。
【００３１】
また、配信条件情報には、配信を要求する制御プロトコルと配信先となるユーザの医用装置８の指定情報、配信すべき日付や時間を示す配信日時情報、配信する際の医用装置８のステータスの指定情報等の情報が含められる。つまり、いつどのプロトコルをどの医用装置８に配信すべきかが配信条件情報とされる。この際、プロトコルの配信タイミングは、日時とすることもできるし、医用装置８が所定のステータスとなった時として指定することもできる。
【００３２】
装置情報取得手段２２は、医用装置８から送信された、医用装置８が起動状態であるか否か等のステータスを示すステータス情報信号および医用装置８の識別情報を装置データとして受信する装置データ受信機能、医用装置８から受信した装置データを解析することにより医用装置８のステータスを判定する装置情報解析機能、ステータスの判定結果を装置ステータス情報として装置ステータスデータベース６に書き込む装置情報保管機能を有する。
【００３３】
ステータス情報信号には、例えば医用装置８の起動、停止（装置シャットダウン）、アイドリング開始、検査開始（撮影開始）、検査終了（撮影終了）等のイベントの際に生成されるイベント情報信号等の信号が利用される。
【００３４】
プロトコル配信手段２１は、配信条件情報データベース５に保存された配信条件情報と装置ステータスデータベース６に保存された装置ステータス情報とを参照し、必要に応じて現在の時間情報と配信条件情報に含まれる配信日時情報とを照合することにより制御プロトコルの医用装置８への配信が必要であるか否かを判定する配信条件判定機能を有する。
【００３５】
ただし、プロトコル配信手段２１は、配信条件情報データベース５に保存された配信条件情報に含まれる配信日時情報と現在の時間情報のみから制御プロトコルの医用装置８への配信が必要であるか否かを判定するようにしてもよい。
【００３６】
また、プロトコル配信手段２１は、配信が必要であると判定された制御プロトコルをプロトコルデータベース３から抽出して配信先となる医用装置８に配信するプロトコル配信機能と、制御プロトコルの医用装置８への配信が成功したか失敗したかの判定結果である配信結果を配信条件情報データベース５に保存された配信条件情報に付加することにより、配信に失敗した場合には所要の配信ルールに従って再度配信が実施されるように配信条件情報を更新させる配信結果判定機能を有する。
【００３７】
次に医用装置プロトコル配信システム１の作用について説明する。
【００３８】
図３は、図１に示す医用装置プロトコル配信システム１により、制御プロトコルをセンタ側９から病院側１１の医用装置８に配信する際の流れを示すシーケンス図であり、図中Ｓに数字を付した符号はステップを示す。
【００３９】
まずステップＳ１において、ユーザは、インターネット１０に接続された任意のＷｅｂクライアント、病院内のユーザクライアント７および医用装置８のいずれか、例えばＷｅｂクライアントをユーザクライアント７として選択する。そして、ユーザクライアント７から制御プロトコルの配信を予約するための配信条件情報がプロトコルサーバ２に送信される。
【００４０】
図４は、図３に示す配信条件情報の送信手順の詳細を示すシーケンス図である。
【００４１】
すなわち、ステップＳ１０において、ユーザクライアント７にユーザＩＤおよびパスワード等のユーザの識別情報が入力され、ユーザクライアント７からユーザの識別情報とともに制御プロトコル配信の予約画面情報の要求情報がセンタ側９のプロトコルサーバ２に送信される。つまり、ユーザクライアント７からプロトコルサーバ２にログイン要求が送信される。
【００４２】
尚、ユーザクライアント７にユーザＩＤおよびパスワードを入力する代わりにＩＣカードを挿入してＩＣカードに記録されたユーザの識別情報がユーザクライアント７に入力されるようにしてもよい。
【００４３】
このため、プロトコルサーバ２の配信予約受付手段２０は、ユーザクライアント７が送信したユーザの識別情報および予約画面情報の要求情報を受信する。
【００４４】
次に、ステップＳ１１において、配信予約受付手段２０は、ユーザクライアント７から受信したユーザの識別情報に基づいてユーザ認証を実施する。配信予約受付手段２０は、ユーザ認証の際、リスト作成用情報データベース４に保存されたリスト作成用情報が参照され、ユーザが適正なユーザであるか否かが判断される。
【００４５】
次に、ステップＳ１２において、配信予約受付手段２０は、ユーザ認証によりユーザが適正であると判定した場合には、制御プロトコル配信のための予約画面情報を生成する。この際、配信予約受付手段２０は、リスト作成用情報データベース４に保存されたリスト作成用情報に従って予約画面情報を生成する。
【００４６】
表１は、リスト作成用情報の一例を示すマトリックスである。
【表１】
0004723815.tif 000002
【００４７】
表１に示すように、リスト作成用情報には、ユーザの識別情報であるログインユーザ情報、医用装置８の装置構成情報、契約情報が要件として含まれる。さらに、リスト作成用情報には、各要件に対応する項目が設けられる。例えば、表１に示すように、装置構成情報の要件は、装置型式、装置構成部品の型式、装置構成部品のバージョン、ソフトウェアバージョン、既インストールプロトコル種別、プロトコル／装置の使用実績等の項目に分けられる。
【００４８】
ただし、表１においてリスト作成用情報の分類方法や設定する項目は任意である。
【００４９】
そして、配信予約受付手段２０は、制御プロトコルの受信権限がユーザに存在する制御プロトコル、すなわちリスト作成用情報に合致する制御プロトコルのリストをプロトコルリストとして生成する。さらに、配信予約受付手段２０は、プロトコルリストを用いて予約画面情報を生成する。
【００５０】
次に、ステップＳ１３において、配信予約受付手段２０は、生成した予約画面情報をインターネット１０を介してユーザクライアント７に送信する。このためユーザクライアント７には、予約画面が表示される。
【００５１】
予約画面は、例えばダウンロードの対象となる制御プロトコルのプロトコルリストと予約設定画面とを有する。プロトコルリストには、医用装置８と医用装置８に対する制御プロトコルがそれぞれリスト形式で表示される。
【００５２】
プロトコルリストには、制御プロトコルの一覧がリスト表示され、ユーザの契約種別により配信できない制御プロトコルは指定できないように設定される。ただし、配信可能な制御プロトコルのみをプロトコルリストに表示してもよい。
【００５３】
このため、ユーザはユーザクライアント７に表示された予約画面のプロトコルリストから適切な制御プロトコルを容易に指定することができる。
【００５４】
次に、ステップＳ１４において、ユーザは予約画面を参照し、ユーザクライアント７に設けられた図示しない入力手段からユーザクライアント７に配信条件情報が入力される。すなわち、入力手段から配信を要求する制御プロトコルの種別の指定情報、配信先となる医用装置８の指定情報、配信日時を指定（予約）する配信日時情報、配信する際の医用装置８のステータスの指定情報等の情報のうち必要な情報がユーザクライアント７に配信条件情報として入力される。この際、入力手段からユーザクライアント７に一度に複数の医用装置８を配信先として指定したり、複数の制御プロトコルの配信を要求するように配信条件情報を入力することもできる。
【００５５】
また、配信条件情報のうち配信日時情報およびステータスの指定情報は、制御プロトコルの医用装置８への配信タイミング、すなわちダウンロードのタイミング指定条件情報として使用される。配信日時情報としては、所要の日時の指定のみならず、即時配信を要求するように設定することもできる。ただし、配信条件情報のうち配信日時情報およびステータスの指定情報の一方の入力による指定を省略してもよく、配信日時情報およびステータスの指定情報の双方を入力してダウンロードのタイミング指定条件情報として指定するようにしてもよい。
【００５６】
すなわち、配信日時情報およびステータスの指定情報の双方を入力して指定し、配信日時情報に対応する指定日時以降でかつ配信先となる医用装置８のステータスが指定されたステータスとなった際に制御プロトコルが医用装置８に配信されるように配信条件情報を設定することができる。また、ステータスの指定情報のみを入力して指定し、配信先となる医用装置８のステータスが指定されたステータスとなった際に制御プロトコルが医用装置８に配信されるように配信条件情報を設定することもできる。さらに、制御プロトコルの配信日時と配信に失敗した場合に次に配信するまでの間隔や配信頻度を配信日時情報として、配信が正常に終了するまで、所要の間隔で繰り返し制御プロトコルが配信されるように配信条件情報を設定することもできる。
【００５７】
次に、ステップＳ１５において、ユーザクライアント７から配信条件情報がインターネット１０を介してプロトコルサーバ２に送信される。すなわち、例えば、ユーザクライアント７に表示された予約画面に配信条件情報をプロトコルサーバ２に送信するための予約ボタンが設けられ、マウス等の入力手段により予約ボタンがクリックされて配信条件情報がプロトコルサーバ２に送信される。
【００５８】
次に、ステップＳ１６において、プロトコルサーバ２の配信予約受付手段２０は、ユーザクライアント７から送信された制御プロトコルの配信条件情報を受信して受付け、配信条件情報データベース５に書き込む。
【００５９】
この結果、制御プロトコルの医用装置８への配信予約が完了する。
【００６０】
次に、図３のステップＳ２において、プロトコル配信手段２１は、配信条件情報データベース５に保存された配信条件情報と、装置ステータスデータベース６に保存された装置ステータス情報とに基づいて、適切なタイミングで制御プロトコルをインターネット１０を介して医用装置８に配信し、配信結果を配信条件情報データベース５に保存された配信条件情報に付加する。
【００６１】
図５は、図３に示す制御プロトコルの配信手順の詳細を示すシーケンス図である。
【００６２】
尚、ここでは、医用装置８の起動時に、配信条件情報データベース５にステータスの指定情報と配信日時情報とを含む配信条件情報が保存され、制御プロトコルの配信の予約が完了している場合の例について説明する。
【００６３】
すなわち、ステップＳ２０において、医用装置８のステータスに変化があった際、装置データがプロトコルサーバ２に送信される。つまり、医用装置８からは、医用装置８の起動、停止、検査開始、検査終了等のイベントの際、イベントがあった旨のイベント情報信号が、医用装置８が起動状態であるか否か等のステータスを示すステータス情報信号として生成される。そして、ステータス情報信号は医用装置８の識別情報とともに装置データとしてインターネット１０を介してセンタ側９のプロトコルサーバ２に送信される。
【００６４】
医用装置８の識別情報には、例えば医用装置８の製造番号が利用される。
【００６５】
このため、プロトコルサーバ２の装置情報取得手段２２は、医用装置８から送信されたステータス情報信号および識別情報を装置データとして受信して解析することにより医用装置８のステータスを判定し、判定結果および識別情報を装置ステータス情報として装置ステータスデータベース６に書き込む。
【００６６】
次に、ステップＳ２１において、プロトコル配信手段２１は、例えば装置データの装置情報取得手段２２による受信や装置ステータス情報の生成ないし保存をトリガとして、装置ステータスデータベース６に保存された装置ステータス情報と、配信条件情報データベース５に保存された配信条件情報とに基づいて制御プロトコルの医用装置８への配信が必要であるか否かを判定する。
【００６７】
すなわち、プロトコル配信手段２１により装置ステータス情報のうち医用装置８の識別情報が抽出され、識別情報に対応する医用装置８についての配信条件情報が配信条件情報データベース５に保存されているか否かを判定する。そして、判定の結果、識別情報に対応する医用装置８についての配信条件情報が存在し、制御プロトコルの配信が未完了である場合には、配信条件情報に含まれる医用装置８の配信時におけるステータスの指定情報と、装置ステータス情報とを照合する。
【００６８】
さらに、プロトコル配信手段２１は、配信条件情報に含まれる配信日時情報と現在の時間とを照合し、配信日時として指定された日時を経過したか否かを判定する。
【００６９】
次に、ステップＳ２２において、プロトコル配信手段２１は、照合の結果、医用装置８のステータスが配信条件となる指定されたステータス（例えば起動状態）であり、かつ配信日時として指定された日時を経過したと判定した場合には、配信条件情報において指定された制御プロトコルをプロトコルデータベース３から抽出して識別情報に対応する医用装置８にインターネット１０を介して送信する。この際、制御プロトコルの配信が必要であると判定された医用装置８が複数存在する場合には、それぞれの医用装置８に対応する各制御プロトコルがプロトコル配信手段２１により配信される。
【００７０】
次に、ステップＳ２３において、プロトコル配信手段２１は、制御プロトコルの医用装置８への配信が成功したか失敗したかを判定する。そして、プロトコル配信手段２１は、判定結果である配信結果を配信条件情報データベース５に保存された配信条件情報に付加することにより、配信条件情報を更新させる。
【００７１】
すなわち、プロトコル配信手段２１は、制御プロトコルの配信に失敗した場合には配信条件情報に配信未完了のステータス情報を付加する一方、配信が正常に終了した場合には、配信完了のステータス情報を付加する。
【００７２】
このため、制御プロトコルの配信に失敗した場合には、次回の装置データが装置情報取得手段２２により受信されて装置ステータス情報が装置ステータスデータベース６に保存された際、再びプロトコル配信手段２１により制御プロトコルの配信判定および配信が実行されるようにされる。
【００７３】
すなわち、医用装置プロトコル配信システム１は、制御プロトコルをダウンロードすべき医用装置８のユーザがユーザクライアント７から制御プロトコルの配信条件情報をプロトコルサーバ２に送信することにより配信予約を行い、配信条件情報と医用装置８の装置ステータス情報とに基づいて所要の時期にプロトコルサーバ２から制御プロトコルを医用装置８に配信するシステムである。
【００７４】
このため、医用装置プロトコル配信システム１によれば、医用装置８が起動状態でなく停止した状態であっても、制御プロトコルの配信予約により医用装置８が起動した際等の所要の時期に制御プロトコルを自動的に配信することができる。さらに、制御プロトコルのダウンロード時における医用装置８の操作労力の増加を抑制して利便性を向上させることができる。
【００７５】
また、医用装置プロトコル配信システム１によれば、制御プロトコルの配信タイミングを医用装置８のステータスに応じて任意に設定することができる。このため、医用装置８の使用状況に応じて制御プロトコルをダウンロードできる。
【００７６】
尚、医用装置プロトコル配信システム１に装置情報取得手段２２を設けずに、制御プロトコルの配信タイミングを配信日時のみで指定してもよい。逆に、配信予約受付手段２０を設けずに、予め設定された配信条件情報に従って装置情報取得手段２２が受信した装置データをトリガとして、プロトコル配信手段２１が制御プロトコルを自動的に医用装置８に送信するように構成してもよい。
【００７７】
図６は本発明に係る医用装置プロトコル配信システムの第２の実施形態を示す機能ブロック図である。
【００７８】
図６に示された、医用装置プロトコル配信システム１Ａでは、プロトコルサーバ２にプロトコル配信確認手段３０を備えた構成が図１に示す医用装置プロトコル配信システム１と相違する。他の構成および作用については図１に示す医用装置プロトコル配信システム１と実質的に異ならないため、同一の構成については同符号を付して説明を省略する。
【００７９】
医用装置プロトコル配信システム１Ａのプロトコルサーバ２は、配信予約受付手段２０、プロトコル配信手段２１、装置情報取得手段２２およびプロトコル配信確認手段３０を備える。
【００８０】
プロトコル配信確認手段３０は、医用装置８またはユーザクライアント７からインターネット１０を介して、未配信の制御プロトコルの配信予約状況を示す配信条件情報を確認し、必要に応じて配信条件情報を変更するための配信確認画面情報の生成要求を受信する配信確認画面生成要求受付機能、配信確認画面情報を生成する配信確認画面情報生成機能および生成した配信確認画面情報を指定した日時あるいはタイミングで制御プロトコルを配信すべき医用装置８またはユーザクライアント７に送信する配信確認画面送信機能を有する。
【００８１】
また、必要に応じてプロトコル配信確認手段３０には、配信確認画面情報とともに配信確認画面情報を確認した旨あるいは配信条件を変更すべき旨の配信確認情報の要求を医用装置８またはユーザクライアント７に送信する一方、医用装置８またはユーザクライアント７から配信確認情報を受信してプロトコル配信手段２１に与える機能が備えられる。
【００８２】
この場合、プロトコル配信手段２１には、プロトコル配信確認手段３０から受けた配信確認情報に基づいて、必要に応じて配信条件情報を更新する機能が備えられる。そして、プロトコル配信手段２１は、更新後の配信条件情報に従って制御プロトコルの配信が必要であるか否かを判定し、配信が必要であると判定された制御プロトコルを配信するようにされる。
【００８３】
次に医用装置プロトコル配信システム１Ａの作用について説明する。
【００８４】
図７は、図６に示す医用装置プロトコル配信システム１Ａにより、制御プロトコルをセンタ側９から病院側１１の医用装置８に配信する際の配信手順の詳細を示すシーケンス図であり、図中Ｓに数字を付した符号はステップを示す。また同様な処理を行うステップおよび図５と同等なステップには同符号を付して説明を省略する。
【００８５】
まずステップＳ３０において、ユーザクライアント７から制御プロトコルの配信を予約するための配信条件情報とともに配信確認画面情報の生成要求がプロトコルサーバ２に送信される。そして、配信予約受付手段２０が配信条件情報を受信する一方、プロトコル配信確認手段３０が配信確認画面情報の生成要求を受信する。例えば、医用装置８の起動時に制御プロトコルを配信するように配信条件情報が設定される。
【００８６】
次に、ステップＳ３１において、プロトコル配信確認手段３０は、配信確認画面情報を生成する。配信確認画面情報には、例えば、配信条件情報の内容、配信条件情報を設定したユーザの識別情報、配信条件情報が配信条件情報データベース５に保存されて配信予約が完了した日時、配信先となる医用装置８の識別情報、配信される制御プロトコルの識別情報、配信される制御プロトコルに関する説明情報等の情報が含まれる。
【００８７】
次に、ステップＳ３２において、プロトコル配信確認手段３０は、生成した配信確認画面情報とともに配信確認情報の要求をユーザクライアント７および医用装置８の一方あるいは双方、例えば医用装置８に送信する。そして、医用装置８は、配信確認画面情報および配信確認情報の送信要求を受信して、配信確認画面を表示させる。
【００８８】
このため、ユーザは、ユーザクライアント７に表示された配信確認画面により制御プロトコルの配信予約状況を確認することができる。
【００８９】
そして、ステップＳ３３において、ユーザは、配信確認画面を確認すると、配信確認情報を医用装置８からプロトコルサーバ２に送信する。ここで、ユーザは、制御プロトコルの配信タイミングを変更したい場合には、配信条件情報を更新させることができる。例えば、ユーザは、制御プロトコルの配信タイミングを、一定期間経過後の医用装置８の起動時に変更することができる。このような場合には、配信条件変更要求が配信確認情報とともに医用装置８からプロトコルサーバ２に送信される。
【００９０】
次に、ステップＳ３４において、プロトコル配信確認手段３０は、医用装置８から送信された配信確認情報および配信条件変更要求を受信してプロトコル配信手段２１に与える。そして、プロトコル配信手段２１は、受信した配信条件変更要求に従って、配信条件情報データベース５に保存された配信条件情報を更新する。すなわち、例えば、一定期間経過後の医用装置８の起動時に制御プロトコルが配信されるように、配信条件情報が更新される。
【００９１】
このため、例えば、緊急検査のために医用装置８を起動させる場合のように制御プロトコルの配信をキャンセルしたい場合には、配信確認画面を参照して配信条件情報を変更することにより制御プロトコルの配信を延期することができる。
【００９２】
次に、ステップＳ３１において、プロトコル配信確認手段３０は、再び更新後の配信条件情報に従って配信確認画面情報を生成する。
【００９３】
そして、ステップＳ３２において、再びプロトコル配信確認手段３０は、更新後の配信条件情報に基づいて生成された配信確認画面情報を医用装置８に送信する。このため、ユーザは、ユーザクライアント７に表示された配信確認画面により制御プロトコルの配信予約が変更された旨とともに更新後の配信予約状況を確認することができる。
【００９４】
そして、ステップＳ３５において、ユーザは、配信確認画面を確認すると、配信確認情報を医用装置８からプロトコルサーバ２に送信する。例えば、ユーザは、更新後の配信予約条件に従って制御プロトコルが配信されるように、配信条件情報の変更がない旨の配信確認情報のみをプロトコルサーバ２に送信する。そして、プロトコル配信確認手段３０は、医用装置８から送信された配信確認情報を受信する。
【００９５】
さらに、配信条件情報において指定された期間が経過し、ステップＳ２０において、医用装置８の起動を示す装置データが医用装置８からプロトコルサーバ２に送信されて装置ステータス情報が装置ステータスデータベース６に保存される。
【００９６】
次に、ステップＳ２１において、プロトコル配信手段２１は、配信条件情報データベース５に保存された配信条件情報を参照して制御プロトコルの医用装置８への配信可否を判定し、ステップＳ２２において、制御プロトコルが医用装置８配信される。さらに、ステップＳ２３において、プロトコル配信手段２１により、制御プロトコルの配信結果の判定が実施される。
【００９７】
このような、医用装置プロトコル配信システム１Ａでは、図１に示す医用装置プロトコル配信システム１の効果に加え、ユーザは制御プロトコルの医用装置８への配信予約状況を確認しつつ、必要に応じて配信条件情報を変更させることができる。
【００９８】
図８は本発明に係る医用装置プロトコル配信システムの第３の実施形態を示す機能ブロック図である。
【００９９】
図８に示された、医用装置プロトコル配信システム１Ｂでは、プロトコル配信促進手段４０および配信促進情報データベース４１を備えた構成が図１に示す医用装置プロトコル配信システム１と相違する。他の構成および作用については図１に示す医用装置プロ
トコル配信システム１と実質的に異ならないため、同一の構成については同符号を付して説明を省略する。
【０１００】
医用装置プロトコル配信システム１Ｂのプロトコルサーバ２は、配信予約受付手段２０、プロトコル配信手段２１、装置情報取得手段２２およびプロトコル配信促進手段４０を備える。さらに、プロトコルサーバ２には、プロトコルデータベース３、リスト作成用情報データベース４、配信条件情報データベース５、装置ステータスデータベース６および配信促進情報データベース４１が設けられる。
【０１０１】
配信促進情報データベース４１には、プロトコルデータベース３に登録された制御プロトコルのうち配信が推奨される制御プロトコルである推奨プロトコルのリスト（推奨プロトコルリスト）を作成する際の基礎情報となる配信促進情報が保存される。配信促進情報としては、例えば各医用装置８により、いつどのようなプロトコルが使用されて検査が実施されたか等のユーザ側の医用装置８の利用状況情報や各医用装置８に使用されるプロトコルのソフトウェアバージョン、プロトコルに関するオプションソフトウェアの有無、ダウンロード済のプロトコルの種別等の医用装置８の装置構成情報が用いられる。
【０１０２】
プロトコル配信促進手段４０は、ユーザクライアント７や医用装置８から制御プロトコルのダウンロードを促進させるための情報である促進画面の生成要求情報を受信する促進画面生成要求受付機能、推奨プロトコルのリスト（推奨プロトコルリスト）を作成して用いることにより促進画面情報を生成する促進画面生成機能、生成した促進画面情報をユーザクライアント７や医用装置８に送信する促進画面送信機能を有する。
【０１０３】
この際、促進画面の生成要求情報は医用装置８のステータスが変化した際に自動的に医用装置８からプロトコルサーバ２に送信されるようにしたり、ユーザクライアント７から任意のタイミングで、例えばログイン情報とともに送信されるようにすることができる。さらに、促進画面の生成要求情報には、対象となる医用装置８の識別情報が含められる。
【０１０４】
また、プロトコル配信促進手段４０が制御プロトコルの推奨プロトコルリストを作成する際には、医用装置８の識別情報と配信促進情報データベース４１に保存された配信促進情報とが参照される。
【０１０５】
尚、配信促進情報データベース４１に保存された配信促進情報とリスト作成用情報データベース４に保存されたリスト作成用情報の一部を共通化してもよい。
【０１０６】
次に医用装置プロトコル配信システム１Ｂの作用について説明する。
【０１０７】
図９は、図８に示す医用装置プロトコル配信システム１Ｂにより、制御プロトコルの配信を促進する促進画面情報をセンタ側９から病院側１１の医用装置８に配信する際の配信手順の詳細を示すシーケンス図であり、図中Ｓに数字を付した符号はステップを示す。また図５と同等なステップには同符号を付して説明を省略する。
【０１０８】
まずステップＳ２０において、医用装置８から装置データがプロトコルサーバ２に送信されて装置ステータス情報が装置ステータスデータベース６に保存される。
【０１０９】
次に、ステップＳ４０において、プロトコル配信促進手段４０は、装置ステータス情報におけるステータスが、促進画面の生成開始条件として予め設定されたステータスである場合には、促進画面情報の生成を開始する。すなわち、例えば装置情報取得手段２２により受信される装置データが促進画面の生成要求情報として利用され、促進画面情報の生成開始のトリガとされる。
【０１１０】
そこで、プロトコル配信促進手段４０は、プロトコル配信促進手段４０は、装置ステータス情報から医用装置８の識別情報を抽出する。そして、抽出した医用装置８の識別情報と配信促進情報データベース４１に保存された配信促進情報とに基づいて、プロトコルデータベース３に新規に登録された制御プロトコルのうち配信が推奨される制御プロトコルを推奨プロトコルとして推奨プロトコルリストを作成する。
【０１１１】
表２は、推奨プロトコルリストを作成する際に参照される配信促進情報の一例を示すマトリックスである。
【表２】
0004723815.tif 000003
【０１１２】
表２に示すように配信促進情報は、大分類に分類され、例えば装置構成情報と装置使用実績情報とを含む。さらに各大分類には、推奨プロトコルリストに含める制御プロトコルの条件が項目別に設定される。例えば、装置構成情報の大分類に属する条件としては、システムソフトウェアバージョン、過去のプロトコルダウンロード実績、オプションソフトウェアのインストール状況が項目として設けられ、装置使用実績の大分類に属する条件としては、プロトコル使用実績が項目として設けられる。
【０１１３】
そして、プロトコル配信促進手段４０は、作成した推奨プロトコルリストを用いて促進画面情報を生成する。
【０１１４】
次に、ステップＳ４１において、プロトコル配信促進手段４０は、生成した促進画面情報をユーザクライアント７および医用装置８の少なくとも一方、例えば医用装置８に送信する。このため、医用装置８に設けられたモニタには促進画面が表示され、ユーザは促進画面を確認することで、適切な推奨プロトコルを知ることができる。
【０１１５】
さらに、促進画面から予約画面にリンクさせることにより、推奨プロトコルリストに含まれる制御プロトコルや推奨プロトコルの配信予約をすることができるようにすれば、ユーザの利便性を向上させることができる。この場合には、ログイン情報が医用装置８から装置データとともに自動的にプロトコルサーバ２に送信され、配信予約受付手段２０により予約画面情報が、プロトコル配信促進手段４０により促進画面情報がそれぞれ医用装置８に送信される。
【０１１６】
同様に、ユーザクライアント７からログイン情報とともに促進画面の生成要求情報をプロトコルサーバ２に送信して、配信予約受付手段２０により予約画面情報が、プロトコル配信促進手段４０により促進画面情報がそれぞれユーザクライアント７に送信されるようにしてもよい。
【０１１７】
以上のような医用装置プロトコル配信システム１Ｂによれば、図１に示す医用装置プロトコル配信システム１の効果に加え、医用装置８の使用状況や制御プロトコルのダウンロード履歴から、新たに医用装置８に配信すべき適切な制御プロトコルである推奨プロトコルのリストをユーザクライアント７に送信することにより、ユーザは容易にダウンロードすべき適切な制御プロトコルを確認して配信を予約することができる。そして、ユーザはより容易に制御プロトコルのダウンロード計画を行うことができる。
【０１１８】
図１０は本発明に係る医用装置プロトコル配信システムの第４の実施形態を示す構成図であり、図１１は、図１０に示す医用装置プロトコル配信システム１Ｃの機能ブロック図である。
【０１１９】
図１０に示された、医用装置プロトコル配信システム１Ｃでは、病院側１１にローカルサーバ５０およびローカルサーバデータベース５１を設けた構成とプロトコルサーバ２の詳細機能が図１に示す医用装置プロトコル配信システム１と相違する。他の構成および作用については図１に示す医用装置プロトコル配信システム１と実質的に異ならないため同一の構成については同符号を付して説明を省略する。
【０１２０】
医用装置プロトコル配信システム１Ｃでは、病院側１１にローカルサーバ５０およびローカルサーバデータベース５１が設けられてＬＡＮ１２に接続される。ここで、ローカルサーバ５０は、医用装置８ごとに専用に１台ずつ設けてもよく、あるいは複数の医用装置８に対して共用に１台あるいは複数台設けてもよい。
【０１２１】
ローカルサーバ５０は、コンピュータにプログラムを読み込ませて配信条件情報受信手段６１、プロトコル受信手段６１、病院側装置情報取得手段６２、病院側プロトコル配信手段６３として機能させたものである。
【０１２２】
ローカルサーバデータベース５１は、病院側プロトコルデータベース６４、病院側配信条件情報データベース６５および病院側装置ステータスデータベース６６を備える。
【０１２３】
また、プロトコルサーバ２の配信予約受付手段２０は、ユーザクライアント７や医用装置８からのログイン情報を受信してユーザの認証を行うユーザ認証機能、ユーザ認証により識別されたユーザ側の医用装置８に配信可能な制御プロトコルのリストをユーザの識別情報やユーザが保有する医用装置８の装置情報に基づいて生成して送信するプロトコルリスト生成送信機能、ユーザ認証により識別されたユーザクライアント７または医用装置８から制御プロトコルの配信条件情報を受信して配信条件情報データベース５に書き込むとともにログイン情報に対応するローカルサーバ５０に任意のタイミングで送信する配信予約受付機能を有する。
【０１２４】
装置情報取得手段２２は、図１に示す医用装置プロトコル配信システム１の装置情報取得手段２２と同様な機能を有する。尚、装置情報取得手段２２はプロトコルサーバ２に設けなくてもよい。
【０１２５】
プロトコル配信手段２１は、配信条件情報データベース５に保存された配信条件情報を参照し、配信先となる医用装置８の制御プロトコルをプロトコルデータベース３から抽出して医用装置８が接続されたローカルサーバ５０に任意のタイミングで配信するプロトコル配信機能と、制御プロトコルの配信結果を配信条件情報データベース５に保存された配信条件情報に付加して更新する配信結果判定機能を有する。
【０１２６】
また、プロトコル配信手段２１は、ローカルサーバ５０から制御プロトコルの配信結果を受信した場合にも、制御プロトコルの配信結果を配信条件情報データベース５に保存された配信条件情報に付加して更新するようにされる。
【０１２７】
一方、ローカルサーバ５０の配信条件情報受信手段６１は、配信予約受付手段２０が送信した配信条件情報を受信して病院側配信条件情報データベース６５に書き込む機能を有する。
【０１２８】
プロトコル受信手段６１は、プロトコル配信手段２１が送信した制御プロトコルを病院側プロトコルデータベース６４に書き込む機能を有する。
【０１２９】
病院側装置情報取得手段６２は、医用装置８から送信された装置データを受信する装置データ受信機能、医用装置８から受信した装置データを解析することにより医用装置８のステータスを判定する装置情報解析機能、ステータスの判定結果を装置ステータス情報として病院側装置ステータスデータベース６６に書き込む装置情報保管機能を有する。
【０１３０】
病院側プロトコル配信手段６３は、病院側配信条件情報データベース６５に保存された配信条件情報と病院側装置ステータスデータベース６６に保存された装置ステータス情報とを参照し、必要に応じて現在の時間情報と配信条件情報に含まれる配信日時情報とを照合することにより制御プロトコルの医用装置８への配信が必要であるか否かを判定する配信条件判定機能を有する。
【０１３１】
ただし、病院側プロトコル配信手段６３は、病院側配信条件情報データベース６５に保存された配信条件情報に含まれる配信日時情報と現在の時間情報のみから制御プロトコルの医用装置８への配信が必要であるか否かを判定するようにしてもよい。
【０１３２】
また、病院側プロトコル配信手段６３は、配信が必要であると判定された制御プロトコルを病院側プロトコルデータベース６４から抽出して配信先となる医用装置８に配信するプロトコル配信機能と、制御プロトコルの医用装置８への配信結果を病院側配信条件情報データベース６５に保存された配信条件情報に付加して更新するとともに、配信結果情報としてプロトコルサーバ２に送信する配信結果判定機能を有する。
【０１３３】
次に医用装置プロトコル配信システム１Ｃの作用について説明する。
【０１３４】
図１２は、図１０に示す医用装置プロトコル配信システム１Ｃにより、制御プロトコルをセンタ側９から病院側１１の医用装置８に配信する際の流れを示すシーケンス図であり、図中Ｓに数字を付した符号はステップを示す。また図３と同等なステップには同符号を付して説明を省略する。
【０１３５】
まずステップＳ１において、例えばユーザクライアント７から医用装置８の次回の起動時を制御プロトコルの配信タイミングとする配信条件情報がプロトコルサーバ２に送信される。このため、配信予約受付手段２０は、ユーザクライアント７から送信された配信条件情報を受信して配信条件情報データベース５に書き込む。さらに、プロトコル配信手段２１は、配信条件情報データベース５に保存された配信条件情報を参照し、配信先となる医用装置８の制御プロトコルをプロトコルデータベース３から抽出する。
【０１３６】
次に、ステップＳ５０において、配信予約受付手段２０は配信条件情報を、プロトコル配信手段２１はプロトコルデータベース３から抽出した制御プロトコルを、それぞれ医用装置８が接続されたローカルサーバ５０に任意のタイミングで配信する。
【０１３７】
次に、ステップＳ５１において、医用装置８が起動されると医用装置８から装置データがローカルサーバ５０に送信される。このため、病院側装置情報取得手段６２は、医用装置８から装置データを受信して解析することにより装置ステータス情報を生成して病院側装置ステータスデータベース６６に書き込む。
【０１３８】
次に、ステップＳ５２において、病院側プロトコル配信手段６３は、病院側配信条件情報データベース６５に保存された配信条件情報と病院側装置ステータスデータベース６６に保存された装置ステータス情報とを参照し、制御プロトコルの医用装置８への配信が必要であるか否かを判定する。
【０１３９】
次に、ステップＳ５３において、病院側プロトコル配信手段６３は、制御プロトコルの医用装置８への配信が必要であると判定すると、対応する制御プロトコルを病院側プロトコルデータベース６４から抽出して配信先となる医用装置８に配信する。
【０１４０】
次に、ステップＳ５４において、病院側プロトコル配信手段６３は、制御プロトコルの医用装置８への配信が成功したか失敗したかを判定し、配信結果を病院側配信条件情報データベース６５に保存された配信条件情報に付加して更新する。
【０１４１】
次に、ステップＳ５５において、病院側プロトコル配信手段６３は、病院側プロトコル配信手段６３が制御プロトコルの医用装置８への配信結果を配信結果情報としてプロトコルサーバ２に送信する。このためプロトコル配信手段２１は、病院側プロトコル配信手段６３が送信した制御プロトコルの配信結果情報を受信し、受信した配信結果情報を配信条件情報データベース５に保存された配信条件情報に付加して更新する。
【０１４２】
このため、制御プロトコルの医用装置８への配信が失敗した場合には、ローカルサーバ５０の病院側プロトコル配信手段６３から制御プロトコルが自動的に医用装置８に再配信される。ただし、制御プロトコルの医用装置８への配信が失敗した場合に、再度ステップＳ５０において、プロトコルサーバ２から制御プロトコルおよび配信条件情報をローカルサーバ５０に配信するようにしてもよい。
【０１４３】
このような医用装置プロトコル配信システム１Ｃによれば、医用装置プロトコル配信システム１の効果に加え、医用装置８のステータスや現在の時間に依らず、プロトコルサーバ２から制御プロトコルをローカルサーバ５０に配信することができる。
【０１４４】
以上のような各実施形態における医用装置プロトコル配信システム１、１Ａ、１Ｂ、１Ｃを組み合わせて構成してもよい。逆に、医用装置プロトコル配信システム１、１Ａ、１Ｂ、１Ｃの一部の機能を省略してもよい。また、医用装置８に配信されるプロトコルは制御プロトコルに限らず、画像装置の撮影プロトコル等のように他のプロトコルであってもよい。さらに、ネットワークとしてインターネット１０ではなく、ＬＡＮ１２のみを用いて医用装置プロトコル配信システム１、１Ａ、１Ｂ、１Ｃを構成してもよい。
【図面の簡単な説明】
【０１４５】
【図１】本発明に係る医用装置プロトコル配信システムの第１の実施形態を示す構成図。
【図２】図１に示す医用装置プロトコル配信システムの機能ブロック図。
【図３】図１に示す医用装置プロトコル配信システムにより、制御プロトコルをセンタ側から病院側の医用装置に配信する際の流れを示すシーケンス図。
【図４】図３に示す配信条件情報の送信手順の詳細を示すシーケンス図。
【図５】図３に示す制御プロトコルの配信手順の詳細を示すシーケンス図。
【図６】本発明に係る医用装置プロトコル配信システムの第２の実施形態を示す機能ブロック図。
【図７】図６に示す医用装置プロトコル配信システムにより、制御プロトコルをセンタ側から病院側の医用装置に配信する際の配信手順の詳細を示すシーケンス図。
【図８】本発明に係る医用装置プロトコル配信システムの第３の実施形態を示す機能ブロック図。
【図９】図８に示す医用装置プロトコル配信システムにより、制御プロトコルの配信を促進する促進画面情報をセンタ側から病院側の医用装置に配信する際の配信手順の詳細を示すシーケンス図。
【図１０】本発明に係る医用装置プロトコル配信システムの第４の実施形態を示す構成図。
【図１１】図１０に示す医用装置プロトコル配信システムの機能ブロック図。
【図１２】図１０に示す医用装置プロトコル配信システムにより、制御プロトコルをセンタ側から病院側の医用装置に配信する際の流れを示すシーケンス図。
【符号の説明】
【０１４６】
１  医用装置プロトコル配信システム
２  プロトコルサーバ
３  プロトコルデータベース
４  リスト作成用情報データベース
５  配信条件情報データベース
６  装置ステータスデータベース
７  ユーザクライアント
８  医用装置
９  センタ側
１０  インターネット
１１  病院側
１２  ＬＡＮ
２０  配信予約受付手段
２１  プロトコル配信手段
２２  装置情報取得手段
３０  プロトコル配信確認手段
４０  プロトコル配信促進手段
４１  配信促進情報データベース
５０  ローカルサーバ
５１  ローカルサーバデータベース
６０  配信条件情報受信手段
６１  プロトコル受信手段
６２  病院側装置情報取得手段
６３  病院側プロトコル配信手段
６４  病院側プロトコルデータベース
６５  病院側配信条件情報データベース
６６  病院側装置ステータスデータベース
【図１】
0004723815.tif 000004
【図２】
0004723815.tif 000005
【図３】
0004723815.tif 000006
【図４】
0004723815.tif 000007
【図５】
0004723815.tif 000008
【図６】
0004723815.tif 000009
【図７】
0004723815.tif 000010
【図８】
0004723815.tif 000011
【図９】
0004723815.tif 000012
【図１０】
0004723815.tif 000013
【図１１】
0004723815.tif 000014
【図１２】
0004723815.tif 000015